(57)【要約】【課題】空気調和機における吹き出し口に対し回動可能に取り付けられる空気流の制御板のこの取り付け状態を容易に解除可能としながら適切に維持する。【解決手段】軸体１と、軸体１の保持体２とを備えている。保持体２は、開放された一方の筒端から筒軸方向に沿って延設された割溝２０ｄを有し、この割溝２０ｄから内部に軸体１を側方から受け入れる筒部２０ａを備えた内柱体２０と、両筒端を開放させていると共に、内柱体２０の筒部２０ａの筒軸方向において、この筒部２０ａの割溝２０ｄを外側から覆う第一位置からこの割溝２０ｄの少なくとも一部を露出させる第二位置まで移動可能に取り付けられる外筒体２１とを有している。外筒体２１には、第一位置において内柱体２０の被掛合部２０ｅに掛合される掛合部２１ａが設けられており、軸体１及び保持体２のいずれか一方を制御板Ｐ側に、他方を吹き出し口Ｆ側に備え付けさせている。【選択図】　　　　図９
2004037018.tif 000002
【特許請求の範囲】
【請求項１】
空気調和機における吹き出し口を形成する向き合った両側部間に亙るように、この両側部に亙る回動軸線を中心に回動可能に取り付けられる空気流の制御板のこの取り付け状態を解除可能に維持する取り付け構造であって、
前記回動軸線に沿った軸体と、
この軸体の保持体とを備えており、
この保持体は、一方の筒端を開放させていると共に、この開放された一方の筒端から筒軸方向に沿って延設された割溝を有し、この割溝から内部に軸体を側方から受け入れるように構成された筒部を備えた内柱体と、
両筒端を開放させていると共に、内柱体の筒部の筒軸方向において、この筒部の割溝を外側から覆う第一位置からこの割溝の少なくとも一部を露出させる第二位置まで移動可能にこの内柱体の外側に取り付けられる外筒体とを有しており、
しかも、外筒体には、第一位置において内柱体の被掛合部に掛合される掛合部が設けられており、
軸体及び保持体のいずれか一方を制御板側に、他方を吹き出し口側に備え付けさせていることを特徴とする空気調和機における空気流の制御板の取り付け構造。
【請求項２】
吹き出し口を形成する向き合った両側部の一方と制御板とが軸体と保持体とによって取り付けられ、
この両側部の他方と制御板とが、この他方の側部及び制御板のいずれか一方に設けた軸穴に、他方に設けた軸を入れ込ませて取り付けられていることを特徴とする請求項１記載の空気調和機における空気流の制御板の取り付け構造。
【請求項３】
空気調和機における吹き出し口を形成する向き合った両側部間に亙るように、この両側部に亙る回動軸線を中心に回動可能に取り付けられる空気流の制御板のこの取り付け状態を解除可能に維持する取り付け構造であって、
前記回動軸線に沿った軸体と、
この軸体の保持体とを備えており、
この保持体は、先端部に、開放部より内部に軸体を側方から受け入れるように構成されたＣ字状部を有する第一アームと、
先端部に、第一アームのＣ字状部の開放部を外側から覆う覆い部を有すると共に、この覆い部によってＣ字状部の開放部を覆った第一位置からこの開放部を開放させる第二位置まで移動可能に、この第一アームに回動可能に取り付けられた第二アームとを有しており、
しかも、第二アームには、第一位置において第一アームの被掛合部に掛合される掛合部が設けられていることを特徴とする空気調和機における空気流の制御板の取り付け構造。
【発明の詳細な説明】
【０００１】
【発明の属する技術分野】
この発明は、空気調和機における吹き出し口に対し、この吹き出し口からの空気流を制御する制御板を、取り外し可能に取り付けるために用いられる取り付け構造に関する。
【０００２】
【従来の技術】
空気調和機における吹き出し口、すなわち、空気調和機の室内ユニットに形成される空気流の吹き出し口内には、この吹き出し口からの空気流の向きを可変させる制御板が回動可能に備え付けられる。
【０００３】
【発明が解決しようとする課題】
かかる吹き出し口内、つまり、かかる吹き出し口を形成させる側部ないしは側板部の内面、および、前記制御板は、空気調和機の使用者、つまり、ユーザーにおいて適宜清掃されることが予定されるところである。
【０００４】
しかし、かかる制御板は、吹き出し口側に対し、回動可能に組み付けられていることから、ユーザーにおいて、こうした清掃を十分に行うことは必ずしも容易でない。
【０００５】
かかる制御板が吹き出し口側から簡単に取り外せるようになっていれば、こうした清掃は容易となる。
【０００６】
しかし、かかる制御板は通常時は空気流を適切に制御するように安定的に吹き出し口に対して組み付けられていなければならないことから、単に制御板を取り外せるようにするだけでなく、取り外した制御板を再び吹き出し口に対して適切に（つまり、予期せず外れてしまわないように）組み付け直せるようにすることが担保されている必要がある。
【０００７】
そこでこの発明は、空気調和機における吹き出し口に対し回動可能に取り付けられる空気流の制御板のこの取り付け状態を容易に解除可能としながら適切に維持できるようにすることを主たる目的とする。
【０００８】
【課題を解決するための手段】
前記目的を達成するために、請求項１記載の発明にあっては、空気調和機における空気流の制御板の取り付け構造が、以下の（１）〜（７）の構成を備えたものとした。
（１）空気調和機における吹き出し口を形成する向き合った両側部間に亙るように、この両側部に亙る回動軸線を中心に回動可能に取り付けられる空気流の制御板のこの取り付け状態を解除可能に維持する取り付け構造であって、
（２）前記回動軸線に沿った軸体と、
（３）この軸体の保持体とを備えており、
（４）この保持体は、一方の筒端を開放させていると共に、この開放された一方の筒端から筒軸方向に沿って延設された割溝を有し、この割溝から内部に軸体を側方から受け入れるように構成された筒部を備えた内柱体と、
（５）両筒端を開放させていると共に、内柱体の筒部の筒軸方向において、この筒部の割溝を外側から覆う第一位置からこの割溝の少なくとも一部を露出させる第二位置まで移動可能にこの内柱体の外側に取り付けられる外筒体とを有しており、
（６）しかも、外筒体には、第一位置において内柱体の被掛合部に掛合される掛合部が設けられており、
（７）軸体及び保持体のいずれか一方を制御板側に、他方を吹き出し口側に備え付けさせている。
【０００９】
かかる構成によれば、前記取り付け状態を解除することにより、吹き出し口の内側から制御板を抜き出させることができ、吹き出し口の内面の清掃および制御板の清掃を容易になすことができる。
【００１０】
すなわち、外筒体が第二位置にある状態において、内柱体の筒部の割溝を通じて筒部の内部に軸体を側方から入れ込ませることができる。そして、この後、外筒体を第一位置に移動させることにより、この外筒体によって割溝を外側から覆ってこの割溝から軸体が側方に抜け出さないようにすることができる。これにより、軸体を保持体によって保持することができ、この軸体と保持体とを介して、吹き出し口に制御板を取り付けることができる。
【００１１】
また、外筒体には、第一位置において内柱体の被掛合部に掛合される掛合部が設けられていることから、保持体による軸体の保持状態、つまり、制御板の取り付け状態を安定的に維持することができる。
【００１２】
また、このように保持体により軸体を保持させた状態から、外筒体にこの外筒体を第二位置に向けて移動させる力を付与させることにより、前記掛合部と被掛合部との掛合を解いて、この外筒体を第二位置に移動させることができる。そして、この第二位置への外筒体の移動により内柱体の筒部の割溝を露出させてこの割溝を通じて軸体を内柱体の筒部の内部から側方に抜き出させることができる。これにより、保持体による軸体の保持状態を解いて、制御板を吹き出し口から取り外すことができる。
【００１３】
また、請求項２記載の発明にあっては、請求項１記載の空気調和機における空気流の制御板の取り付け構造において、
吹き出し口を形成する向き合った両側部の一方と制御板とが軸体と保持体とによって取り付けられ、
この両側部の他方と制御板とが、この他方の側部及び制御板のいずれか一方に設けた軸穴に、他方に設けた軸を入れ込ませて取り付けられていることを特徴としている。
【００１４】
かかる構成によれば、保持体による軸体の保持状態を解いて内柱体の筒部の内部から軸体を抜き出させた後、前記軸穴から軸を抜け出させるように制御板をその回動軸線方向に移動させることにより、制御板を吹き出し口から取り外すことができる。
【００１５】
また、取り外された制御板は、前記軸穴に軸を入れ込ませると共に、前記割溝を通じて内柱体の筒部の内部に軸体を側方から入れ込ませ、さらに、外筒体を第一位置に移動させることにより、再び、吹き出し口に対して回動可能に取り付けることができる。
【００１６】
また、前記目的を達成するために、請求項３記載の発明にあっては、空気調和機における空気流の制御板の取り付け構造が、以下の（１）〜（６）の構成を備えたものとした。
（１）空気調和機における吹き出し口を形成する向き合った両側部間に亙るように、この両側部に亙る回動軸線を中心に回動可能に取り付けられる空気流の制御板のこの取り付け状態を解除可能に維持する取り付け構造であって、
（２）前記回動軸線に沿った軸体と、
（３）この軸体の保持体とを備えており、
（４）この保持体は、先端部に、開放部より内部に軸体を側方から受け入れるように構成されたＣ字状部を有する第一アームと、
（５）先端部に、第一アームのＣ字状部の開放部を外側から覆う覆い部を有すると共に、この覆い部によってＣ字状部の開放部を覆った第一位置からこの開放部を開放させる第二位置まで移動可能に、この第一アームに回動可能に取り付けられた第二アームとを有しており、
（６）しかも、第二アームには、第一位置において第一アームの被掛合部に掛合される掛合部が設けられている。
【００１７】
かかる構成によれば、前記取り付け状態を解除することにより、吹き出し口の内側から制御板を抜き出させることができ、吹き出し口の内面の清掃および制御板の清掃を容易になすことができる。
【００１８】
すなわち、第二アームが第二位置にある状態において、第一アームのＣ字状部の開放部を通じてＣ字状部の内部に軸体を側方から入れ込ませることができる。そして、この後、第二アームを第一位置に移動させることにより、この第二アームの覆い部によって開放部を外側から覆ってこの開放部から軸体が側方に抜け出さないようにすることができる。これにより、軸体を保持体によって保持することができ、この軸体と保持体とを介して、吹き出し口に制御板を取り付けることができる。
【００１９】
また、第二アームには、第一位置において第一アームの被掛合部に掛合される掛合部が設けられていることから、保持体による軸体の保持状態、つまり、制御板の取り付け状態を安定的に維持することができる。
【００２０】
また、このように保持体により軸体を保持させた状態から、第二アームにこの第二アームを第二位置に向けて移動させる力を付与させることにより、前記掛合部と被掛合部との掛合を解いて、この第二アームを第二位置に移動させることができる。そして、この第二位置への第二アームの移動により第一アームのＣ字状部の開放部を開放させてこの開放部を通じて軸体を第一アームのＣ字状部の内部から側方に抜き出させることができる。これにより、保持体による軸体の保持状態を解いて、制御板を吹き出し口から取り外すことができる。
【００２１】
【発明の実施の形態】
以下、図１ないし図１８に基づいて、この発明の典型的な実施の形態について説明する。
【００２２】
なお、ここで図１は、実施の形態にかかる取り付け構造によって空気調和機における吹き出し口Ｆに取り外し可能に取り付けられる空気流の制御板Ｐと、この吹き出し口Ｆとを分離した状態で示しており、便宜上、吹き出し口Ｆについては、この吹き出し口Ｆを構成する各側部Ｆａ、Ｆａ…（具体的には側板部のみを破線で表して示している。
【００２３】
図２ないし図１２は、後述する第一の取り付け構造Ｋ１を構成する部材をそれぞれ表している。特に、図２は、かかる第一の取り付け構造Ｋ１を構成する軸体１と、保持体２を構成する内柱体２０と、保持体２を構成する外筒体２１とを分離して示しており、また、図３ないし図５は、保持体２を構成する内柱体２０と、保持体２を構成する外筒体２１とを分離して示している。図８および図９は、後述する第二位置に保持体２を構成する外筒体２１がある状態を、図１０ないし図１２は、後述する第一位置に保持体２を構成する外筒体２１がある状態を、それぞれ示している。
【００２４】
図１３ないし図１５は、制御板Ｐを表しているが、この各図においては保持体２のうち、制御板Ｐに取り付けられた内柱体２０から外筒体２１を取り外した状態として表している。
【００２５】
図１６ないし図１８は、後述する第二の取り付け構造Ｋ２を構成する部材をそれぞれ表している。特に、図１６は、かかる第二の取り付け構造Ｋ２を構成する保持体２を構成する第一アーム４０と第二アーム４１とを分離した状態として、示している。また、図１７は、後述する第一位置に保持体２を構成する第二アーム４１がある状態を、図１８ないし図１２は、後述する第二位置に保持体２を構成する第一アーム４０がある状態を、それぞれ示している。
【００２６】
この実施の形態にかかる空気流の制御板Ｐの取り付け構造は、空気調和機における吹き出し口Ｆに対し、この吹き出し口Ｆからの空気流を制御する制御板Ｐを、取り外し可能に取り付けるために用いられるものである。
【００２７】
具体的には、かかる取り付け構造は、空気調和機における吹き出し口Ｆを形成する向き合った両側部Ｆａ、Ｆａ間に亙るように、この両側部Ｆａ、Ｆａに亙る回動軸線ｘを中心に回動可能に取り付けられる空気流の制御板Ｐのこの取り付け状態を解除可能に維持するものである。
【００２８】
かかる制御板Ｐは、空気調和機に内蔵される駆動モータにより、前記回動軸線ｘを中心に自動で回動する状態で、あるいは、前記回動軸線ｘを中心に手動で回動される状態で、前記吹き出し口Ｆに対し取り外し可能に取り付けられて、かかる回動によって空気流の向きを可変させるように用いられる。
【００２９】
典型的には、かかる吹き出し口Ｆとしては、四つの側板部によって形成される横長あるいは縦長のものが予定される。例えば、図１に示されるように、一対の横長の側板部と、この一対の横長の側板部の一方の幅方向に沿った一方縁部とこの一対の横長の側板部の他方の幅方向に沿った一方縁部との間に亙る側板部と、この一対の横長の側板部の一方の幅方向に沿った他方縁部とこの一対の横長の側板部の他方の幅方向に沿った他方縁部との間に亙る側板部とにより、横長の吹き出し口Ｆを構成することができる。
【００３０】
また、典型的には、かかる制御板Ｐとしては、横長の吹き出し口Ｆの横方向に沿って長い長板状をなす制御板Ｐ、縦長の吹き出し口Ｆの縦方向に沿って長い長板状をなす制御板Ｐが予定される。
【００３１】
典型的には、かかる制御板Ｐは、図１に示されるように、その長さ方向に沿った回動軸線ｘを中心に回動されるように吹き出し口Ｆに取り付けられて、かかる回動によって空気流の向きを制御するように構成される。
【００３２】
図示の例では、二種類の取り付け構造を利用して、制御板Ｐを吹き出し口Ｆの内側においてこの吹き出し口Ｆに対し取り外し可能に取り付けるようにしている。
【００３３】
図示の例では、二種類の取り付け構造の一方により、制御板Ｐを、この制御板Ｐにおける吹き出し口Ｆから吹き出される空気流の吹き出し方向ｙに沿った端部側において、この吹き出し口Ｆに対し取り外し可能に取り付けるようにしている。（以下、この二種類の取り付け構造の一方を、第一の取り付け構造Ｋ１と称する。）
【００３４】
また、二種類の取り付け構造の他方により、制御板Ｐを、この制御板Ｐにおける吹き出し口Ｆから吹き出される空気流の吹き出し方向ｙに沿った両端部の間において、（図示の例では、制御板Ｐの長さ方向ほぼ中程の位置において）この吹き出し口Ｆに対しさらに取り外し可能に取り付けるようにしている。（以下、この二種類の取り付け構造の他方を、第二の取り付け構造Ｋ２と称する。）
【００３５】
この結果、図示の例にあっては、長板状をなす制御板Ｐを、空気流の吹き出し方向ｙに沿った端部側と、この空気流の吹き出し方向ｙに沿った両端部の間とにおいてそれぞれ、吹き出し口Ｆに対し取り外し可能に取り付けさせることができ、このように長板状をなす制御板Ｐを吹き出し口Ｆの内側において回動可能な状態で安定的に支持させることができるようになっている。
【００３６】
また、第一の取り付け構造Ｋ１による取り付け状態および第二の取り付け構造Ｋ２による取り付け状態を共に解除することにより、吹き出し口Ｆの内側から制御板Ｐを抜き出させることができ、吹き出し口Ｆの内面の清掃および制御板Ｐの清掃を容易になすことができる。
【００３７】
（第一の取り付け構造Ｋ１）
第一の取り付け構造Ｋ１は、前記回動軸線ｘに沿った軸体１と、この軸体１の保持体２とを備えている。
【００３８】
保持体２は、一方の筒端を開放させていると共に、この開放された一方の筒端から筒軸方向に沿って延設された割溝２０ｄを有し、この割溝２０ｄから内部に軸体１を側方から受け入れるように構成された筒部２０ａを備えた内柱体２０と、
両筒端を開放させていると共に、内柱体２０の筒部２０ａの筒軸方向に、この筒部２０ａの割溝２０ｄを外側から覆う第一位置からこの割溝２０ｄの少なくとも一部を露出させる第二位置まで移動可能にこの筒部２０ａを備えた内柱体２０の外側に取り付けられる外筒体２１とを有しており、
しかも、外筒体２１には、第一位置において内柱体２０の被掛合部２０ｅに掛合される掛合部２１ａが設けられている。
【００３９】
そして、第一の取り付け構造Ｋ１は、軸体１及び保持体２のいずれか一方を制御板Ｐ側に、他方を吹き出し口Ｆ側に備え付けさせて構成されている。
【００４０】
これにより、
（１）外筒体２１が第二位置にある状態において、内柱体２０の筒部２０ａの割溝２０ｄを通じて筒部２０ａの内部に軸体１を側方から入れ込ませることができる。そして、この後、外筒体２１を第一位置に移動させることにより、この外筒体２１によって割溝２０ｄを外側から覆ってこの割溝２０ｄから軸体１が側方に抜け出さないようにすることができる。これにより、軸体１を保持体２によって保持することができ、この軸体１と保持体２とを介して、吹き出し口Ｆに制御板Ｐを取り付けることができる。軸体１は、前記回動軸線ｘに沿って配されていることから、軸体１を中心として制御板Ｐを回動させたり、軸体１を駆動させることにより制御板Ｐを回動させることが可能となる。
（２）また、外筒体２１には、第一位置において内柱体２０の被掛合部２１ａ２０ｅに掛合される掛合部２１ａが設けられていることから、保持体２による軸体１の保持状態、つまり、制御板Ｐの取り付け状態を安定的に維持することができる。
（３）また、このように保持体２により軸体１を保持させた状態から、外筒体２１にこの外筒体２１を第二位置に向けて移動させる力を付与させることにより、前記掛合部２１ａと被掛合部２１ａ２０ｅとの掛合を解いて、この外筒体２１を第二位置に移動させることができる。そして、この第二位置への外筒体２１の移動により内柱体２０の筒部２０ａの割溝２０ｄを露出させてこの割溝２０ｄを通じて軸体１を内柱体２０の筒部２０ａの内部から側方に抜き出させることができる。これにより、保持体２による軸体１の保持状態を解いて、制御板Ｐを吹き出し口Ｆから取り外すことができる。
【００４１】
図示の例にあっては、吹き出し口Ｆを形成する向き合った両側板部の一方と制御板Ｐとが軸体１と保持体２とによって取り付けられ、
この両側板部の他方と制御板Ｐとが、この他方の側板部及び制御板Ｐのいずれか一方に設けた軸穴５に、他方に設けた軸６を入れ込ませて取り付けられている。
【００４２】
具体的には、図１における左側にある側板部に対して、制御板Ｐの一方端部側が軸体１と保持体２とによって取り付けられ、図１における右側にある側板部に対して、制御板Ｐの他方端部側が前記軸穴５と軸６とによって取り付けられている。
【００４３】
これにより、図示の例にあっては、
（１）保持体２による軸体１の保持状態を解いて内柱体２０の筒部２０ａの内部から軸体１を抜き出させた後、前記軸穴５から軸６を抜け出させるように制御板Ｐをその回動軸線ｘ方向に移動させることにより、制御板Ｐを吹き出し口Ｆから取り外すことができる。
（２）また、取り外された制御板Ｐは、前記軸穴５に軸６を入れ込ませると共に、前記割溝２０ｄを通じて内柱体２０の筒部２０ａの内部に軸体１を側方から入れ込ませ、さらに、外筒体２１を第一位置に移動させることにより、再び、吹き出し口Ｆに対して回動可能に取り付けることができる。
【００４４】
また、図示の例にあっては、保持体２を構成する外筒体２１に、操作摘み部２１ｂが形成してある。
【００４５】
これにより、図示の例にあっては、操作摘み部２１ｂを摘んで、外筒体２１を前記第一位置と第二位置との間に亘って容易に移動操作することができる。
【００４６】
（第一の取り付け構造Ｋ１／軸体１）
具体的には、図示の例にあっては、前記軸体１は、吹き出し口Ｆ側に備え付けられている。図示の例では、吹き出し口Ｆを構成する四つの側板部のうち、図１における左側にある縦向きの側板部の内面から吹き出し口Ｆの内方に突き出すように軸体１が備え付けられている。そして、図示の例では、この軸体１の突き出される側板部に向き合う制御板Ｐの端部側に前記保持体２が備え付けられている。
【００４７】
かかる軸体１は、この軸体１の軸線方向に沿った二つの幅広の平坦面１０、１０を背中合わせ状に備えると共に、この二つの幅広の平坦面１０、１０の側縁間に亙ってこの軸体１の軸線方向に沿った幅狭の弧状の面１１を備えている。幅狭の弧状の面１１は、軸体１の外方を湾曲外側とするように湾曲されており、かかる軸体１は、その軸線方向に直交する向きの断面を小判状とした、いわゆるＩカットの軸として構成されている。図示の例では、この軸体１は、この軸体１よりも太い円柱状基部に一体に接合されている。
【００４８】
図示の例では、この軸体１が、空気調和機の内部に備え付けられた駆動モータ（図示は省略する。）によって回動されるようになっており、この軸体１の回動によって制御板Ｐが自動で回動されるようになっている。
【００４９】
（第一の取り付け構造Ｋ１／保持体２）
図示の例では、制御板Ｐの一面に、この制御板Ｐの一面からこの一面にほぼ直交する向きに突き出すように複数の支持板Ｐａ、Ｐａ…が設けられている。各支持板Ｐａ、Ｐａ…は、隣り合う支持板Ｐａとの間に間隔を開けた状態で、制御板Ｐの長さ方向に亘って並列状態に設けられている。
【００５０】
そして、図示の例では、このように設けられている複数の支持板Ｐａ、Ｐａ…のうち、制御板Ｐの幅方向に沿った一方端部にもっとも近い支持板Ｐａのこの一方端部に向けられた面に、この面から突き出すように保持体２が設けられている。
【００５１】
また、図示の例では、このように設けられている複数の支持板Ｐａ、Ｐａ…のうち、制御板Ｐの幅方向に沿った他方端部にもっとも近い支持板Ｐａのこの他方端部に向けられた面に、この面から突き出すように、前記軸穴５に入れ込まれる前記軸６が設けられている。
【００５２】
また、図示の例では、このように設けられている複数の支持板Ｐａ、Ｐａ…のうち、制御板Ｐの長さ方向ほぼ中程の位置において隣り合う一組の支持板Ｐａ、Ｐａの間に亘るように、後述する第二の取り付け構造Ｋ２を構成する軸体３が設けられている。
【００５３】
そして、図示の例では、前記軸体１の軸線、保持体２を構成する内柱体２０の筒部２０ａの筒軸線、前記軸６の軸線、前記軸穴５の穴軸線、および、後述する第二の取り付け構造Ｋ２を構成する軸体３の軸線が、一つの仮想の直線上に位置されるようにしてある。すなわち、図示の例では、この一つの仮想の直線が制御板Ｐの回動軸線ｘとなる。
【００５４】
かかる保持体２は、筒部２０ａを備えた内柱体２０と外筒体２１とから構成されている。
【００５５】
図示の例にあっては、筒部２０ａを備えた内柱体２０は、前記支持板Ｐａに一端を一体に接合させている柱状基部２０ｆと、一方の筒端を開放させていると共に他方の筒端をこの柱状基部２０ｆの他端に対し一体に接合させた筒部２０ａとから構成してある。
【００５６】
かかる筒部２０ａは、開放された一方の筒端に溝一端を連通させた状態で、この筒部２０ａの筒軸方向に沿って延設された割溝２０ｄを有している。この割溝２０ｄは、この筒部２０ａと柱状基部２０ｆとの接合箇所において終了している。
【００５７】
また、かかる筒部２０ａは、前記軸体１の軸線に交叉する向きの断面形状に倣った内部形状を有するように構成されている。
【００５８】
具体的には、かかる筒部２０ａは、軸体１の幅広の平坦面１０とほぼ同じ幅を備えた二つの幅広の平坦な内面２０ｂ、２０ｂを向き合わせるようにして備えていると共に、この二つの幅広の平坦な内面２０ｂ、２０ｂ間に亙って一つの弧状の幅狭の内面２０ｃを有している。そして、この弧状の幅狭の内面２０ｃと反対の側が前記割溝２０ｄによって外方に開放されるようにしてある。そして、軸体１の幅広の平坦面１０に筒部２０ａの幅広の平坦な内面を向き合わせる向きで軸体１を筒部２０ａの内部に受け入れるようにしてある。これにより、図示の例にあっては、軸体１の回動によって保持体２を通じて制御板Ｐが回動されるようになっている。
【００５９】
一方、外筒体２１は、両筒端を開放させていると共に、一方の筒端から内部に内柱体２０を通し抜けさせることができる内径を持つように構成されている。
【００６０】
図示の例にあっては、外筒体２１は、内柱体２０の突き出し方向に直交する向きの断面外郭形状に倣った断面内郭形状を持つように構成されている。
【００６１】
また、外筒体２１は、その一方の筒端からこの外筒体２１の長さ方向ほぼ中程の位置までの間に亘って、その内部に、内柱体２０の割溝２０ｄに入り込む突出部２１ｃを備えている。
【００６２】
また、図示の例では、かかる外筒体２１は、この外筒体２１における他方の筒端側に、この外筒体２１の外面にほぼ直交する向き突き出す舌片状部を有しており、この舌片状部が前記操作摘み部２１ｂとして機能するようにしてある。
【００６３】
また、図示の例にあっては、
内柱体２０における割溝２０ｄが設けられた側と反対の側であって、この内柱体２０の長さ方向ほぼ中程の位置に、この内柱体２０の柱状基部２０ｆの根本側を向いた係当面２０ｈを備えた抜け出し防止突部２０ｇが形成してあると共に、外筒体２１の操作摘み部２１ｂの形成側の内部に、この操作摘み部２１ｂの形成側の外筒体２１の筒端側からこの外筒体２１の内部に内柱体２０を、前記突出部２１ｃが割溝２０ｄに入り込む向きで入れ込ませることに伴って、前記抜け出し防止突部２０ｇの係当面２０ｈより先に入り込んで、この係当面２０ｈへの突き当たり位置より先への外筒体２１の移動、つまり、内柱体２０と外筒体２１を一旦組み合わせた後の内柱体２０からの外筒体２１の脱落を防止する被抜け出し防止突部２１ｄが形成してある。
【００６４】
具体的には、図示の例にあっては、内柱体２０の抜け出し防止突部２０ｇが、その頂部を挟んだ係当面２０ｈと反対の側に、この頂部から離れるに連れて次第に低まる傾斜面２０ｉを有していると共に、外筒体２１の被抜け出し防止突部２１ｄが、この被抜け出し防止突部２１ｄが設けられている外筒体２１の筒端側からこの被抜け出し防止突部２１ｄの頂部に向けて次第に高まる傾斜面２１ｅを有しており、さらに、前記のように操作摘み部２１ｂの形成側の外筒体２１の筒端側からこの外筒体２１の内部に内柱体２０を入れ込ませることにより、この被抜け出し防止突部２１ｄの傾斜面２１ｅと抜け出し防止突部２０ｇの傾斜面２０ｉとが押し当たって、主として外筒体２１の内径が次第に弾性的に押し広げられ、この後、被抜け出し防止突部２１ｄの頂部が抜け出し防止突部２０ｇの頂部を乗り越えた位置での主として外筒体２１の弾発によって、抜け出し防止突部２０ｇの係当面２０ｈの先に被抜け出し防止突部２１ｄが入り込むようになっている。
【００６５】
そして、外筒体２１の長さ寸法は、内柱体２０の長さ寸法よりも小さくなっており、（図示の例では外筒体２１の長さ寸法は内筒体の長さ寸法の約半分）前記のように内柱体２０の外側にはめ付けられた外筒体２１の一方の筒端が内柱体２０の根本側に位置された状態においてこの内柱体２０の筒部２０ａの割溝２０ｄの一部が露出され、（図９）このように露出された割溝２０ｄの一部を通じて軸体１を側方からこの筒部２０ａ内に入れ込めるようになっている。すなわち、図示の例では、図８および図９に示される外筒体２１の位置が前記第二位置となる。
【００６６】
また、この第二位置から外筒体２１は、前記抜け出し防止突部２０ｇの係当面２０ｈに被抜け出し防止突部２１ｄが突き当たる位置まで移動させることができ、この移動位置において、割溝２０ｄを外側から覆って内柱体２０の筒部２０ａ内に前記のように入れ込まれた軸体１を保持する。（図１０ないし図１２）すなわち、図示の例では、図１０ないし図１２に示される外筒体２１の位置が前記第一位置となる。
【００６７】
また、外筒体２１には、前記第一位置において内筒体の被掛合部２０ｅに掛合される掛合部２１ａが設けられている。
【００６８】
図示の例にあっては、内柱体２０及び外筒体２１のいずれか一方に形成された外筒体２１の移動方向に沿って延設されたリブ状体２０ｊを、これらの他方に形成された割溝部２１ｆに入れ込ませるようにして、この内柱体２０と外筒体２１とが組み合わされていると共に、
このリブ状体２０ｊの一部と割溝部２１ｆの一部のいずれか一方に凹所２０ｋが、これらの他方にこの凹所２０ｋに入り込む大きさの突所２１ｇが形成されており、
外筒体２１が前記第一位置にある状態においてこの凹所２０ｋに突所２１ｇが入り込まされていると共に、
この凹所２０ｋ側および突所２１ｇ側の双方又はいずれか一方の弾性変形によるこの凹所２０ｋからの突所２１ｇの抜け出しによって、前記第一位置にある外筒体２１を第二位置に向けて移動させることが許容されるようになっている。
【００６９】
具体的には、図示の例にあっては、内柱体２０の外面部であって、割溝部２１ｆの形成された側部と抜け出し防止突部２０ｇが形成された側部との間にある一側部に、この内柱体２０の根本から筒部２０ａと柱状基部２０ｆとのほぼ連接箇所に亙ってリブ状体２０ｊが形成されていると共に、
外筒体２１に、この外筒体２１における内柱体２０の根本側に位置される筒端に溝一端を連通させて、この筒端からこの外筒体２１の長さ方向ほぼ中程の位置まで延びる割溝部２１ｆが形成されており、
この割溝部２１ｆにリブ状体２０ｊを入り込ませるようにして、外筒体２１と内柱体２０とが前記のようにはめ合わされるようになっている。
【００７０】
そして、図示の例にあっては、この割溝部２１ｆにおける外筒体２１の筒端との連通側に前記突所２１ｇが、また、前記リブ状体２０ｊの終端側（内柱体２０の根本側と反対の側）に前記凹所２０ｋが形成してある。
【００７１】
すなわち、図示の例にあっては、かかる突所２１ｇが前記掛合部２１ａとして、また、かかる凹所２０ｋが前記被掛合部２０ｅとして機能するようになっている。
【００７２】
なお、図示の例にあっては、リブ状体２０ｊの始端側にも凹所２０ｍが形成されていると共に、外筒体２１の第二位置においてこの凹所２０ｍに前記突所２１ｇが弾発して入り込むようになっており、外筒体２１をこの第二位置においても安定的に位置づけることができるようになっている。
【００７３】
また、図示の例にあっては、内柱体２０の外面部であって、リブ状体２０ｊの形成された側部と反対の側部に、この内柱体２０の根本から筒部２０ａと柱状基部２０ｆとのほぼ連接箇所に亙って補助リブ状体２０ｎが形成されていると共に、
外筒体２１における割溝部２１ｆの形成された側と反対の側に、この外筒体２１における内柱体２０の根本側に位置される筒端に溝一端を連通させて、この筒端からこの外筒体２１の長さ方向ほぼ中程の位置まで延びる補助割溝部２１ｈが形成されており、
この補助割溝部２１ｈに補助リブ状体２０ｎを入り込ませるようにして、外筒体２１と内柱体２０とが前記のようにはめ合わされるようになっている。
【００７４】
また、図示の例にあっては、内柱体２０の筒部２０ａ内には、第二位置にある外筒体２１によって露出される一部と、この第二位置にある外筒体２１によって外側から覆われている一部とを仕切る仕切板２０ｏが形成されており、この仕切板２０ｏに軸端を突き当てる位置を限度として前記軸体１は露出された割溝２０ｄを通じて側方から筒部２０ａ内に入れ込まれるようになっている。
【００７５】
（第二の取り付け構造Ｋ２）
第二の取り付け構造Ｋ２は、前記回動軸線ｘに沿った軸体３と、この軸体３の保持体４とを備えている。
【００７６】
また、保持体４は、先端部に、開放部より内部に軸体３を側方から受け入れるように構成されたＣ字状部４０ａを有する第一アーム４０と、
先端部に、第一アーム４０のＣ字状部４０ａの開放部４０ｂを外側から覆う覆い部４１ａを有すると共に、この覆い部４１ａによってＣ字状部４０ａの開放部４０ｂを覆った第一位置からこの開放部４０ｂを開放させる第二位置まで移動可能に、この第一アーム４０に回動可能に取り付けられた第二アーム４１とを有しており、
しかも、第二アーム４１には、第一位置において第一アーム４０の被掛合部４０ｃに掛合される掛合部４１ｂが設けられている。
【００７７】
そして、第二の取り付け構造Ｋ２は、軸体３及び保持体４のいずれか一方を制御板Ｐ側に、他方を吹き出し口Ｆ側に備え付けさせて構成されている。
【００７８】
これにより、
（１）第二アーム４１が第二位置にある状態において、第一アーム４０のＣ字状部４０ａの開放部４０ｂを通じてＣ字状部４０ａの内部に軸体３を側方から入れ込ませることができる。そして、この後、第二アーム４１を第一位置に移動させることにより、この第二アーム４１の覆い部４１ａによって開放部４０ｂを外側から覆ってこの開放部４０ｂから軸体３が側方に抜け出さないようにすることができる。これにより、軸体３を保持体４によって保持することができ、この軸体３と保持体４とを介して、吹き出し口Ｆに制御板Ｐを取り付けることができる。軸体３は、前記回動軸線ｘに沿って配されていることから、軸体３を中心として制御板Ｐを回動させたり、軸体３を駆動させることにより制御板Ｐを回動させることが可能となる。
（２）また、第二アーム４１には、第一位置において第一アーム４０の被掛合部４０ｃに掛合される掛合部４１ｂが設けられていることから、保持体４による軸体３の保持状態、つまり、制御板Ｐの取り付け状態を安定的に維持することができる。
（３）また、このように保持体４により軸体３を保持させた状態から、第二アーム４１にこの第二アーム４１を第二位置に向けて移動させる力を付与させることにより、前記掛合部４１ｂと被掛合部４０ｃとの掛合を解いて、この第二アーム４１を第二位置に移動させることができる。そして、この第二位置への第二アーム４１の移動により第一アーム４０のＣ字状部４０ａの開放部４０ｂを開放させてこの開放部４０ｂを通じて軸体３を第一アーム４０のＣ字状部４０ａの内部から側方に抜き出させることができる。これにより、保持体４による軸体３の保持状態を解いて、制御板Ｐを吹き出し口Ｆから取り外すことができる。
【００７９】
（第二の取り付け構造Ｋ２／軸体３）
図示の例にあっては、軸体３は、制御板Ｐ側に設けられている。
【００８０】
具体的には、かかる軸体３は、制御板Ｐの長さ方向ほぼ中程の位置において隣り合う一組の支持板Ｐａ、Ｐａの間に亘って設けらた円柱状体として構成されている。
【００８１】
（第二の取り付け構造Ｋ２／保持体４）
図示の例にあっては、保持体４は、吹き出し口Ｆ側に設けられている。
【００８２】
具体的には、かかる保持体４は、吹き出し口Ｆを形成するこの吹き出し口Ｆの長さ方向に沿った側板部に対し、この側板部の長さ方向ほぼ中程の位置において備え付けられるようになっている。
【００８３】
かかる保持体４は、第一アーム４０と第二アーム４１とから構成されている。
【００８４】
第一アーム４０は、吹き出し口Ｆを構成するこの吹き出し口Ｆの長さ方向に沿った両側板部の内面間に配され、この側板部に取り付けられる取付部４０ｄにアーム一端を一体に連接させた状態で設けられている。
【００８５】
図示の例では、この取付部４０ｄは、吹き出し口Ｆを構成するこの吹き出し口Ｆの幅方向に沿った側板部に板面を向き合わせるように備え付けられる板状をなすように構成されている。
【００８６】
そして、第一アーム４０は、かかる板状をなす取付部４０ｄにおける空気流の吹き出し先側にある縁部における上下方向ほぼ中程の位置にアーム一端を一体に連接させると共に、この吹き出し先側に向けて突き出すように設けられている。
【００８７】
そして、この第一アーム４０の先端部（つまり、アーム他端）に前記Ｃ字状部４０ａが形成されている。図示の例では、このＣ字状部４０ａは、その開放部４０ｂを、空気流の吹き出し先側に向けるように備え付けられており、軸体３を吹き出し口Ｆの前方側から内部に受け入れるようになっている。すなわち、かかるＣ字状部４０ａは、空気流の吹き出し先側に向いた開放部４０ｂを有すると共に、この空気流の吹き出し方向ｙに沿った両側部を共に開放させており、この空気流の吹き出し方向ｙに沿った側から見てＣ字状をなすように構成されている。
【００８８】
一方、第二アーム４１は、第一アーム４０に回動可能に組み付けられている。
【００８９】
図示の例では、第二アーム４１は、第一アーム４０のＣ字状部４０ａの開放部４０ｂを外側から覆う覆い部４１ａをアーム一端に備えると共に、アーム他端において第一アーム４０に回動可能に組み付けられている。
【００９０】
具体的には、第二アーム４１は、覆い部４１ａをＣ字状部４０ａの開放部４０ｂの下方に位置づけた状態においてこの開放部４０ｂを覆い部４１ａによって覆わず、（図１８）この状態から上方に向けて回動されることによりこの覆い部４１ａによってＣ字状部４０ａの開放部４０ｂを前方から覆うようになっている。（図１７）すなわち、図示の例では、この図１８の位置が第二アーム４１の第二位置とされ、この図１７の位置が第二アーム４１の第一位置となっている。
【００９１】
図示の例では、第二アーム４１の覆い部４１ａは、上端と下端とを有し、かつ、この上端と下端との間において、内面をＣ字状部４０ａの内部に入れ込まれる軸体３の外面に倣うように湾曲させた湾曲片状をなすように構成されている。そして、かかる覆い部４１ａは、前記第二アーム４１の第一位置において、その上端を第一アーム４０のＣ字状部４０ａの上端に接しさせ、かつ、その下端を第一アーム４０のＣ字状部４０ａの下端に接しさせて、このＣ字状部４０ａの開放部４０ｂを覆うように構成されている。これにより、図示の例にあっては、保持体４によって軸体３をこのように保持させた状態において、この第二の取り付け構造Ｋ２により取り付け箇所においては、この軸体３を中心とした回動を可能とした状態で吹き出し口Ｆに対し制御板Ｐを取り付けさせることができる。
【００９２】
また、図示の例にあっては、かかる第二アーム４１に、操作摘み部４１ｃが形成してある。具体的には、前記覆い部４１ａの外面側、つまり、前記第一位置においてＣ字状部４０ａの開放部４０ｂに向けられない側に、この覆い部４１ａから前方に向けて突き出す舌片状部が形成されており、この舌片状部が前記操作摘み部４１ｃとして機能するようになっている。
【００９３】
これにより、図示の例にあっては、かかる操作摘み部４１ｃを摘んで、第二アーム４１を前記第一位置と第二位置との間に亘って容易に移動操作することができる。
【００９４】
図示の例にあっては、第二アーム４１は、第一アーム４０を間に納める一対の挟持板４１ｅ、４１ｅと、この一対の挟持板４１ｅ、４１ｅの下縁間に亙る下部連接部４１ｆとからなる第一アーム４０との組み合わせ部４１ｄを有している。
【００９５】
覆い部４１ａは、この組み合わせ部４１ｄの前端部であって、前記下部連接部４１ｆから一体に前方に延びる連接片部４１ｉに覆い部４１ａの下部側を一体に連接させることにより、この組み合わせ部４１ｄに連接されている。
【００９６】
そして、第二アーム４１は、この組み合わせ部４１ｄの後端部において、第一アーム４０に回動可能に組み付けられている。
【００９７】
具体的には、図示の例では、第二アーム４１の組み合わせ部４１ｄを構成する一対の挟持板４１ｅ、４１ｅ間の間隔は、第一アーム４０の左右方向の厚さとほぼ等しいか、やや、大きくなるように構成されている。それと共に、この一対の挟持板４１ｅ、４１ｅにはそれぞれ、丸穴状をなす軸穴４１ｇが形成されている。一対の挟持板４１ｅ、４１ｅの一方に形成された軸穴４１ｇと他方に形成された軸穴４１ｇとは、その穴軸をそれぞれ、仮想の一つの直線上に位置させるように形成されている。
【００９８】
一方、第一アーム４０の突き出し方向ほぼ中程の位置には、この第一アーム４０の左右両側においてそれぞれ、円柱状をなす軸突起４０ｅが形成されている。第一アーム４０の左側に形成された軸突起４０ｅと右側に形成された軸突起４０ｅとは、その軸線をそれぞれ、仮想の一つの直線上に位置させるように形成されている。
【００９９】
そして、図示の例にあっては、前記軸穴４１ｇが前記軸突起４０ｅを受け入れる大きさを持つように構成してあると共に、第一アーム４０の左右軸突起４０ｅ、４０ｅの先端間の寸法が第二アーム４１の組み合わせ部４１ｄを構成する一対の挟持板４１ｅ、４１ｅ間の間隔よりもやや大きくなるように構成してある。
【０１００】
それと共に、第二アーム４１の組み合わせ部４１ｄが、前記一対の挟持板４１ｅ、４１ｅ間の間隔を、この一対の挟持板４１ｅ、４１ｅ間への第一アーム４０の上方からの入れ込みに伴って、弾性的に広がり出させるように構成されている。
【０１０１】
この結果、図示の例にあっては、第二アーム４１の組み合わせ部４１ｄを構成する一対の挟持板４１ｅ、４１ｅ間に、前記軸突起４０ｅを挟持板４１ｅの内面に接しさせてこの一対の挟持板４１ｅ、４１ｅ間の間隔を弾性的に押し広げさせながら上方から第一アーム４０を入れ込ませることができると共に、この軸突起４０ｅが前記軸穴４１ｇに入り込む入れ込み位置において一対の挟持板４１ｅ、４１ｅ側を弾発させて、この軸穴４１ｇに軸突起４０ｅを受け入れさせることができ、これにより、第一アーム４０に対し第二アーム４１をワンタッチで回動可能に組み付けさせることができる。
【０１０２】
このように第一アーム４０に組み付けられる第二アーム４１は、組み合わせ部４１ｄの前端を前記第一位置および第二位置のいずれの位置においても、前記Ｃ字状部４０ａの後方に位置させるように形成されている。
【０１０３】
また、図示の例にあっては、第一アーム４０の軸突起４０ｅの形成位置よりも後方であってこの第一アーム４０の下部に、前方を向いた段差面４０ｆが形成されており、第二アーム４１は組み合わせ部４１ｄの下部連接部４１ｆの後端をこの段差面４０ｆに突き当てる位置より下方には回動しないようになっている。
【０１０４】
また、図示の例にあっては、第二アーム４１には、前記第一位置において第一アーム４０の被掛合部４０ｃに掛合される掛合部４１ｂが設けられている。
【０１０５】
図示の例では、第一アーム４０及び第二アーム４１のいずれか一方に、小突起４０ｇが設けられていると共に、
これらの他方に、この小突起４０ｇが入り込む小孔４１ｈが設けられており、第二アーム４１が前記第一位置にある状態においてこの小孔４１ｈに小突起４０ｇが入り込まされていると共に、
この小突起４０ｇ側および小孔４１ｈ側の双方又はいずれか一方の弾性変形によるこの小孔４１ｈからの小突起４０ｇの抜け出しにより、前記第一位置にある第一アーム４０を第二位置に向けて移動させることが許容されるようになっている。
【０１０６】
具体的には、図示の例では、第一アーム４０の左右両側にそれぞれ、第一アーム４０のＣ字状部４０ａと軸突起４０ｅとの間において、小突起４０ｇが形成されていると共に、第二アーム４１の組み合わせ部４１ｄを構成する一対の挟持板４１ｅ、４１ｅにそれぞれ、この挟持板４１ｅの前端側において、この小突起４０ｇが内側から入り込む大きさの小孔４１ｈが形成されている。
【０１０７】
すなわち、図示の例では、かかる小孔４１ｈが前記掛合部４１ｂとして、また、小突起４０ｇが前記被掛合部４０ｃとして機能するようになっている。
【０１０８】
（その他）
以上に説明した第一の取り付け構造Ｋ１および第二の取り付け構造Ｋ２を構成する各部材のうち、弾性変形特性を持つことが必要とされる部材に対するかかる弾性変形特性を付与は、典型的には、かかる部材をプラスチックの射出成型品とすることにより確保することができる。
【０１０９】
【発明の効果】
この発明にかかる制御板の取り付け構造によれば、空気調和機における吹き出し口に対し回動可能に取り付けられる制御板のこの取り付け状態を容易に解除可能としながら適切に維持することができる。
【図面の簡単な説明】
【図１】吹き出し口Ｆと制御板Ｐとを分離させた状態を示す斜視図
【図２】第一の取り付け構造Ｋ１を構成する各部材の分離斜視図
【図３】第一の取り付け構造Ｋ１を構成する保持体２の分解平面図
【図４】同分解正面図
【図５】同分解背面図
【図６】図３におけるＡ−Ａ線位置から見た側面図
【図７】図３におけるＢ−Ｂ線位置から見た側面図
【図８】第一の取り付け構造Ｋ１を構成する保持体２の平面図（外筒体２１が第二位置にある状態）
【図９】第一の取り付け構造Ｋ１を構成する軸体１および保持体２の断面図（外筒体２１が第二位置にある状態）
【図１０】第一の取り付け構造Ｋ１を構成する保持体２の平面図（外筒体２１が第一位置にある状態）
【図１１】第一の取り付け構造Ｋ１を構成する保持体２の断面図（外筒体２１が第一位置にある状態）
【図１２】第一の取り付け構造Ｋ１を構成する軸体１および保持体２の断面図（外筒体２１が第一位置にある状態）
【図１３】制御板Ｐの側面図
【図１４】図１３における左側から制御板Ｐを見て示した側面図
【図１５】図１３における右側から制御板Ｐを見て示した側面図
【図１６】第二の取り付け構造Ｋ２を構成する保持体４の分解斜視図
【図１７】第二の取り付け構造Ｋ２を構成する保持体４の側面図（第二アーム４１が第一位置にある状態）
【図１８】第二の取り付け構造Ｋ２を構成する保持体４の側面図（第二アーム４１が第二位置にある状態）
【符号の説明】
Ｆ　吹き出し口
Ｆａ　側部
ｘ　回動軸線
１　軸体
２　保持体
２０　内柱体
２０ａ　筒部
２０ｄ　割溝
２０ｅ　被掛合部
２１　外筒体
２１ａ　掛合部
【図１】
2004037018.tif 000003
【図２】
2004037018.tif 000004
【図３】
2004037018.tif 000005
【図４】
2004037018.tif 000006
【図５】
2004037018.tif 000007
【図６】
2004037018.tif 000008
【図７】
2004037018.tif 000009
【図８】
2004037018.tif 000010
【図９】
2004037018.tif 000011
【図１０】
2004037018.tif 000012
【図１１】
2004037018.tif 000013
【図１２】
2004037018.tif 000014
【図１３】
2004037018.tif 000015
【図１４】
2004037018.tif 000016
【図１５】
2004037018.tif 000017
【図１６】
2004037018.tif 000018
【図１７】
2004037018.tif 000019
【図１８】
2004037018.tif 000020